【事件の表示】
　特願２００１−３０６５３７「電子機器及び情報処理装置」拒絶査定不服審判事件〔平成１５年　４月１１日出願公開、特開２００３−１０８２６４〕について、次のとおり審決する。
【結　論】
　本件審判の請求は、成り立たない。
【理　由】
第１．手続の経緯 
　本願は、平成１３年１０月２日の出願であって、平成１６年６月１７日付けで拒絶の査定がなされ、同年７月２２日に拒絶査定に対する審判請求がなされるとともに、同年７月３０日付けで手続補正がなされたが、当審において、平成１９年５月３１日付けで拒絶の理由が通知され、これに対しその指定期間内である同年８月６日付けで手続補正がなされたものである。
　
第２．本願発明について 
　
１．本願発明
　本願の請求項１に係る各発明（以下、「本願発明」という。）は、平成１９年８月６日付けの手続補正書によって補正された請求項１に記載された事項により特定される、以下のとおりのものである。
　
「【請求項１】　情報処理装置の装着部に装着され、電子部品を内蔵する筐体を有する電子機器において、
　前記電子部品に電気的に接続され、前記情報処理装置の装置側コネクタと接続される機器側コネクタと、
　前記機器側コネクタを保護するために前記機器側コネクタを覆う第１の位置と、前記装置側コネクタが前記機器側コネクタに接続できるように前記機器側コネクタを外部に露出する第２の位置との間で移動可能な保護部と、
　前記機器側コネクタの側面に設けられたコネクタ側ガイド部と、
　前記コネクタ側ガイド部に設けられた開口部から一部が露出し、前記電子機器内部で前記保護部と一体的に形成され、当該開口部に係合することにより前記保護部を前記第１の位置に固定するロック部とを有し、
　前記電子機器を前記装着部に装着するときに、前記装着部内に設けられた部材が前記ロック部の前記露出した一部を押すことにより前記ロック部の係合が解除され、前記保護部が前記第１の位置から前記第２の位置へ移動可能となり、前記機器側コネクタが前記装置側コネクタに接続されることを特徴とする電子機器。」
　
２．刊行物の記載 
　
　刊行物１記載発明 
　当審において、平成１９年５月３１日付けで通知した拒絶の理由に引用した、特開平６−１３９４１５号公報（平成６年５月２０日出願公開。以下、「刊行物１」という。）には、ＩＣカード装着装置、ＩＣカード及びＩＣカードコネクタに関して、図面と共に、以下の事項が記載されている。
　
ａ．先端にカード側信号端子部を有するＩＣカード本体と、このＩＣカード本体の外周側に配置され、前記カード側信号端子部を被う収納位置と前記カード側信号端子部を露出する露出位置との間で前記ＩＣカード本体に対してスライド自在で、且つ、前記収納位置側に付勢手段にて付勢された保護ケース部材とから成るＩＣカードと、
このＩＣカードの挿入をガイドするガイド部材と、前記ＩＣカードの挿入途中で前記保護ケース部材のみの挿入を阻止するストッパーと、前記ＩＣカードの挿入完了位置で前記カード側信号端子部に接続するコネクタ用信号端子部とから成るＩＣカードコネクタとを備えたことを特徴とするＩＣカード装着装置。（公報、第２頁、第１欄、第２乃至１４行、特許請求の範囲【請求項１】の記載。）　
　
ｂ．図２及び図３において、ＩＣカードＡのＩＣカード本体１は略偏平方形状を有し、内部にはＩＣ部品例えばメモリが内蔵されている。（公報、第３頁、第３欄、第１８乃至２１行、段落【００１１】の記載。）　
　
ｃ．ＩＣカードＡの一側面には、図５に詳しく示すように、ロック部材１２が設けられ、このロック部材１２の基端はＩＣカード本体１に固定されている。ロック部材１２の先端には係止溝部１３が、又、これよりも基端側には被押圧突部１４がそれぞれ設けられ、この係止溝部１３及び被押圧突部１４はロック部材１２自体の弾性変形によって上下方向に変位する。又、保護ケース部材３にはガイド溝１５が形成され、このガイド溝１５にＩＣカードＡをＩＣカードコネクタＢに挿入する際にロック解除突部２２が挿入される。このガイド溝１５の下部には係止突部１６が設けられ、この係止突部１６が保護ケース部材３の収納位置で係止溝部１３に係止される。（公報、第３頁、第３欄、第４９行乃至第４欄、第１１行、段落【００１５】の記載。）　
　
ｄ．この挿入過程で先ずロック解除突部２２がガイド溝１５を移動し、ロック解除突部２２が図５（ｂ）に示す如く被押圧突部１４を押圧する。すると、ロック部材１２の被押圧突部１４が下方に変位して係止突部１６が係止溝部１３より外れる。次に、保護ケース部材３の先端面がストッパー２５に当接し、保護ケース部材３の挿入が阻止される。すると、ＩＣカード本体Ｂのみが引張りバネ９のバネ力に抗して挿入され、相対的に保護ケース部材３が露出位置側に変位される。この露出位置側への変位によって図７に示す如くＩＣカード本体１の先端のカード側信号端子部２が蓋５を押圧して露出する。（公報、第３頁、第４欄、第４０行乃至第４頁、第５欄、第１行、段落【００２０】の記載。）　
　
ｅ．この状態よりさらに挿入すると、ＩＣカード本体１の先端にカード引抜きレバー２６の係止片部２６ａが係止し、ＩＣカード本体１の挿入と共にカード引抜きレバー２６がスライドする。ＩＣカードＡが図８に示す如く挿入完了位置まで挿入されると、保護ケース部材３が露出位置まで変位すると共にカード側信号端子部２がコネクタ側信号端子部２４に接続される。尚、ＩＣカード本体１には引張りバネ９のバネ力によって引抜き方向の外力が作用するが、カード側信号端子部２とコネクタ側信号端子部２４間の摩擦抵抗の方がはるかに大きくこの接続が外れることはない。（公報、第４頁、第５欄、第２乃至１２行、段落【００２１】の記載。）　
　
ｆ．装着状態のＩＣカードＡを取り外す場合には、カード引抜きレバー２６の指掛部２６ｂに指を掛けて手前に引く。すると、ＩＣカード本体１が反挿入方向に変位してカード側信号端子部２とコネクタ側信号端子部２４との接続が外れる。この双方の信号端子部２，２４間の接続が外れると、引張りバネ９のバネ力によって保護ケース部材３が収納位置に戻ろうとするためＩＣカード本体１が引抜き方向に変位する。保護ケース部材３が収納位置に戻ると、蓋５も閉塞位置に戻りＩＣカード本体１のカード側信号端子２が保護ケース部材３で被われる。（公報、第４頁、第５欄、第１３乃至２３行、段落【００２２】の記載。）　
　
ｇ．図２及び図３には、ガイド溝１５が、保護ケース部材の側面に設けられることが示されている。
　
　ここで、刊行物１の記載ａにおける「ＩＣカード本体」は、同記載ｂ及びｃによれば「内部にはＩＣ部品が内蔵」され、「ＩＣカードＡの一側面には、ロック部材１２が設けられ、このロック部材１２の基端はＩＣカード本体１に固定され」、「ロック部材１２の先端には係止溝部１３が、又、これよりも基端側には被押圧突部１４がそれぞれ設けられ、この係止溝部１３及び被押圧突部１４はロック部材１２自体の弾性変形によって上下方向に変位する」ものである。
　
　また、刊行物１の記載ａにおける「収納位置側に付勢手段にて付勢された保護ケース部材」の「付勢手段」は、同記載ｄ、ｅ及びｆによれば「引張りバネ９」である。
　
　また、刊行物１の記載ａにおける「保護ケース部材」は、同記載ｃ及びｇによれば「ガイド溝１５が側面に設けられ」、「ガイド溝１５にＩＣカードＡをＩＣカードコネクタＢに挿入する際にロック解除突部２２が挿入され」、「ガイド溝１５の下部には係止突部１６が設けられ、この係止突部１６が保護ケース部材３の収納位置で係止溝部１３に係止される」ものである。
　
　また、刊行物１の記載ａにおける「ＩＣカードの挿入」は、同記載ｄ及びｅによれば「挿入過程で先ずロック解除突部２２がガイド溝１５を移動し、ロック解除突部２２が被押圧突部１４を押圧」し、「ロック部材１２の被押圧突部１４が下方に変位して係止突部１６が係止溝部１３より外れ」、「保護ケース部材３の先端面がストッパー２５に当接し、保護ケース部材３の挿入が阻止され」、「ＩＣカード本体Ｂのみが引張りバネ９のバネ力に抗して挿入され、相対的に保護ケース部材３が露出位置側に変位」し、「この露出位置側への変位によってＩＣカード本体１の先端のカード側信号端子部２が蓋５を押圧して露出」し、「この状態よりさらに挿入すると、ＩＣカード本体１の先端にカード引抜きレバー２６の係止片部２６ａが係止し、ＩＣカード本体１の挿入と共にカード引抜きレバー２６がスライド」し、「ＩＣカードＡが挿入完了位置まで挿入されると、保護ケース部材３が露出位置まで変位すると共にカード側信号端子部２がコネクタ側信号端子部２４に接続される」ものである。
　
　上記記載事項によれば、刊行物１には、次の発明（以下、「刊行物１記載発明」という。）が記載されている。
　
　「ＩＣカードコネクタに接続し、本体内部にＩＣ部品が内蔵されているＩＣカードにおいて、
　ＩＣカードコネクタに接続されるカード側信号端子部と、
　カード側信号端子部を被う収納位置とカード側信号端子部を露出する露出位置との間でＩＣカード本体に対してスライド自在で、且つ、収納位置側に引張りバネ９にて付勢された保護ケース部材と、
　保護ケース部材の側面に設けられたガイド溝１５と、
　ＩＣカードＡの一側面に、基端がＩＣカード本体１に固定され、ロック部材１２の先端には係止溝部１３、被押圧突部１４がそれぞれ設けられ、この係止溝部１３及び被押圧突部１４はロック部材１２自体の弾性変形によって上下方向に変位し、ガイド溝１５にＩＣカードＡをＩＣカードコネクタＢに挿入する際にロック解除突部２２が挿入され、ガイド溝１５の下部には係止突部１６が設けられ、この係止突部１６が保護ケース部材３の収納位置で係止溝部１３に係止されるロック部材１２とを有し、
　ＩＣカードの挿入過程で先ずロック解除突部２２がガイド溝１５を移動し、ロック解除突部２２が被押圧突部１４を押圧し、ロック部材１２の被押圧突部１４が下方に変位して係止突部１６が係止溝部１３より外れ、保護ケース部材３の先端面がストッパー２５に当接し、保護ケース部材３の挿入が阻止され、ＩＣカード本体Ｂのみが引張りバネ９のバネ力に抗して挿入され、相対的に保護ケース部材３が露出位置側に変位し、この露出位置側への変位によってＩＣカード本体１の先端のカード側信号端子部２が蓋５を押圧して露出し、この状態よりさらに挿入すると、ＩＣカード本体１の先端にカード引抜きレバー２６の係止片部２６ａが係止し、ＩＣカード本体１の挿入と共にカード引抜きレバー２６がスライドし、ＩＣカードＡが挿入完了位置まで挿入されると、保護ケース部材３が露出位置まで変位すると共にカード側信号端子部２がコネクタ側信号端子部２４に接続されるＩＣカード。」
　
　刊行物２の記載
　当審において、平成１９年５月３１日付けで通知した拒絶の理由に引用した、特開平９−８１６９９号公報（平成９年３月２８日出願公開。以下、「刊行物２」という。）には、メモリーカードに関して、図面と共に、以下の事項が記載されている。
　
ｈ．パッケージ１ａの装着側前面であって、上記開閉カバー部４ａの下方両端位置には、上記ＩＣ録音機本体１１のメモリ装着部１１ｇ側のテーパ状のカバー開閉用爪１１ｄ，１１ｅが嵌入可能な凹部１ｄ，１ｅが設けられている。また、上記パッケージ１ａの装着方向の前方左右には、録音機本体１１のメモリ装着部１１ｇに配設される位置決めガイド１１ｂ，１１ｃに嵌入可能なガイド溝１ｂ，１ｃが配設されている。（公報、第２頁、第２欄、第３２乃至３９行、段落【００１０】の記載。）　
　
　刊行物３の記載
　当審において、平成１９年５月３１日付けで通知した拒絶の理由に引用した、実願昭６２-１８８５６８号（実開平１-９１５７９号）のマイクロフィルム（平成元年６月１５日出願公開。以下、「刊行物３」という。）には、メモリーカードに関して、図面と共に、以下の事項が記載されている。
　
ｉ．この考案は、その外部電極がコネクタを介してコンピュータを装備した機器本体に電気的に導通されるメモリカードに関する。（マイクロフィルム、第２頁、第６乃至８行の記載。）　
　
ｊ．基板５の左右の前端コーナ部にはそれぞれプリント配線板６が設けられていない肩部１３が具備されている。この肩部１３には、その裏面に開口する縦長凹所１４と、その側端面に開口する案内溝１５と、その裏面で開口しかつ上記案内溝１５に連通する細長開口１６が形成されており、それらのうち案内溝１５は上記細長開口１６よりも後方へ延設されている。そして案内溝１５の後端近傍個所の上部には垂下り壁部１７が設けられており、この壁部１７の前端部が段付状の係合部１８とされている。さらに上記肩部１３の前端には上記縦長凹所１４につながる切欠状の凹所１９が設けられている。（マイクロフィルム、第７頁、第１４行乃至第８頁、第７行の記載。）
　
ｋ．次にシャッター２は金属板、例えばステンレス製の薄板を所定形状に打抜き曲げ加工することにより形成されており、平坦な板状部２０の左右それぞれの側部に鉤形の連結部２１を介して細長い被押圧片２２を後方へ延設し、この被押圧片２２の先端を内方へへ字形に折り曲げてロック爪２３を形成し、さらに上記板状部２０の左右それぞれの後端に後方へ伸びる倣い片２４を設け、板状部２０の左右それぞれの前端に折曲片２５を形成したものである。ここで上記被押圧片２２は弾性を備え、その先端部が外方へ張り出している。（マイクロフィルム、第８頁、第１４乃至１７行の記載。）　
　
ｌ．第２〜４図に示すように、シャッター２は、折曲片２５を上記縦長開口１４に嵌め、連結部２１の垂下部２６を細長開口１６に嵌め、さらに被押圧片２２とロック爪２３とを上記案内溝１５に配置することによって、カード本体１に取り付けられている。このような取付状態において、折曲片２５が縦長開口１４の内部で前後に移動でき、かつ被押圧片２２とロック爪２３が案内溝１５の内部で前後に移動できる範囲内でシャッター２が前後にスライド可能である。（マイクロフィルム、第８頁、第１８行乃至第９頁、第７行の記載。）　
　
ｍ．そして、シャッター２が閉鎖位置に設定されているときには第２図及び第３図のように被押圧片２２の外向きの弾性復元力によってロック爪２３が段付状の上記係合部１８の直前個所に形成されている凹所（この実施例では案内溝１５における係合部１８の直前個所）１８ａに入り込んで係合部１８に係止する構成になっており、このようにロック爪２３が係合部１８に係合した状態では、被押圧片２２の上半部分は案内溝１５の開口部分に臨んでいる。（マイクロフィルム、第９頁、第１２行乃至第１０頁、第１行の記載。）　
　
ｎ．以上説明したメモリカードは使用時にはコネクタに挿入される。そして、挿入の途中の段階ではコネクタ側に設けられたロック解除手段によってシャッター２のロック状態が解除される。又、完全に挿入された状態では、コネクタ側に設けられた保持手段がカード本体１の側端面に形成された凹部３４に係合してメモリカードを所定位置に保持すると共に、コネクタ側に設けられたシャッター開放手段によってシャッター２が開放位置に設定され、外部電極１２が露出する。そして、その外部電極１２にコネクタ側のコンタクトが接触して電気的に導通する。
　
　刊行物４の記載
　当審において、平成１９年５月３１日付けで通知した拒絶の理由に引用した、特開２０００-２６０１７６号公報（平成１２年９月２２日出願公開。以下、「刊行物４」という。）には、メモリーカードに関して、図面と共に、以下の事項が記載されている。
　
ｏ．図１において、図中符号１００はメモリ情報処理装置本体で、その正面にメモリカセット２００の一部を挿入するための挿入口１１０と、本体の電源投入のためのボタン１２０と、メモリカセット２００に記録された情報表示のための表示部１３０と、メモリカセット２００に対し情報書込みのためのキーボード１４０とを備えている。このうち、挿入口１１０には、その内部の左右壁面にガイドレール１１１，１１２と、奥にメモリアクセス部１１３（図２で図示）とが設けられている。（公報、第４頁、第５欄、第１３乃至２２行、段落【００２２】の記載。）
　
（２）対比・判断
　本願発明と刊行物１記載発明とを比較すると、刊行物１記載発明の「ＩＣカードコネクタ」、「ＩＣ部品」は、それぞれ本願発明の「装置側コネクタ」、「電子部品」に相当する。
　　　
　また、刊行物１記載発明の「ＩＣカード本体」は、内部にＩＣ部品を内蔵するから、本願発明における「電子部品を内蔵する筐体を有する電子機器」に相当する。
　
　また、刊行物１記載発明の「カード側信号端子部」は、ＩＣカードコネクタに接続され、また、ＩＣカード本体が、内部にＩＣ部品を内蔵するから、当然、カード側信号端子部はＩＣ部品と電気的に接続されるものであり、本願発明における「電子部品に電気的に接続され、情報処理装置の装置側コネクタと接続される機器側コネクタ」に相当する。
　
　また、刊行物１記載発明の「保護ケース部材」は、カード側信号端子部を被う収納位置とカード側信号端子部を露出する露出位置との間でＩＣカード本体に対してスライド自在であるから、本願発明における「機器側コネクタを保護するために前記機器側コネクタを覆う第１の位置と、前記装置側コネクタが前記機器側コネクタに接続できるように前記機器側コネクタを外部に露出する第２の位置との間で移動可能な保護部」に相当する。
　
　また、刊行物１記載発明の「ガイド溝１５」は、保護ケース部材の側面に設けられているから、本願発明における「機器側コネクタの側面に設けられたコネクタ側ガイド部」と、「機器側コネクタの側面側の位置に設けられたガイド部」である点で対応する。
　
　また、刊行物１記載発明の「ロック部材１２」は、係止溝部１３、被押圧突部１４が設けられ、ロック解除突部２２がガイド溝１５を移動し、ロック解除突部２２が被押圧突部１４を押圧し、ロック部材１２の被押圧突部１４が下方に変位して係止突部１６が係止溝部１３より外れるから、本願発明の「コネクタ側ガイド部に設けられた開口部から一部が露出し、前記電子機器内部で前記保護部と一体的に形成され、当該開口部に係合することにより前記保護部を前記第１の位置に固定するロック部」とは、「コネクタ側ガイド部から一部が露出し、保護部を第１の位置に固定するロック部」である点で一致する。
　
　また、刊行物１記載発明においては、「挿入過程で先ずロック解除突部２２がガイド溝１５を移動し、ロック解除突部２２が被押圧突部１４を押圧し、ロック部材１２の被押圧突部１４が下方に変位して係止突部１６が係止溝部１３より外れ、保護ケース部材３の先端面がストッパー２５に当接し、保護ケース部材３の挿入が阻止され、ＩＣカード本体Ｂのみが引張りバネ９のバネ力に抗して挿入され、相対的に保護ケース部材３が露出位置側に変位し、この露出位置側への変位によってＩＣカード本体１の先端のカード側信号端子部２が蓋５を押圧して露出し、この状態よりさらに挿入すると、ＩＣカード本体１の先端にカード引抜きレバー２６の係止片部２６ａが係止し、ＩＣカード本体１の挿入と共にカード引抜きレバー２６がスライドし、ＩＣカードＡが挿入完了位置まで挿入されると、保護ケース部材３が露出位置まで変位すると共にカード側信号端子部２がコネクタ側信号端子部２４に接続される」から、刊行物１記載発明は、本願発明における「電子機器を装着部に装着するときに、装着部内に設けられた部材がロック部の露出した一部を押すことによりロック部の係合が解除され、保護部が第１の位置から第２の位置へ移動可能となり、機器側コネクタが装置側コネクタに接続される」構成を備えている。
　
　したがって、両者の一致点、相違点は以下のとおりである。
　［一致点］
　「電子部品を内蔵する筐体を有する電子機器において、
　電子部品に電気的に接続され、情報処理装置の装置側コネクタと接続される機器側コネクタと、
　機器側コネクタを保護するために機器側コネクタを覆う第１の位置と、装置側コネクタが機器側コネクタに接続できるように機器側コネクタを外部に露出する第２の位置との間で移動可能な保護部と、
　機器側コネクタの側面側の位置に設けられたガイド部と、
　コネクタ側ガイド部から一部が露出し、保護部を前記第１の位置に固定するためのロック部とを有し、
　電子機器を装着部に装着するときに、装着部内に設けられた部材がロック部の露出した一部を押すことによりロック部の係合が解除され、保護部が第１の位置から第２の位置へ移動可能となり、機器側コネクタが装置側コネクタに接続される電子機器。」である点。
　
　［相違点１］
　本願発明では、情報処理装置の装着部に装着されるのに対し、刊行物１記載発明では明らかでない点。
　
　［相違点２］
　ガイド部が、本願発明では、機器側コネクタの側面に設けられ、ロック部の一部が露出して係合する開口部を有しているのに対し、刊行物１記載発明では、保護部の側面に設けられ、係止突部を有していて、ロック部が、本願発明では、保護部と一体的に形成され、開口部に係合するのに対し、刊行物１記載発明ではＩＣカード本体１の側面に固定され、係止溝部が係止突部に係合するものである点。
　
　［判断］
　［相違点１］について
　刊行物２の記載ｈ、刊行物３の記載ｉ、及び刊行物４の記載ｏによれば、電子機器を情報処理装置の装着部に装着させることは本願出願前周知技術である。
　
　そうすると、刊行物１記載発明において、刊行物２乃至４に例示された周知技術のように電子機器を情報処理装置の装着部に装着させて、本願発明のように構成することは当業者が適宜なし得る設計的事項にすぎない。
　
　［相違点２］について
　刊行物３の記載ｋ、ｌによれば、ロック部を、電子機器内部で保護部と一体的に形成させることは本願出願前公知技術である。
　
　また、刊行物３の記載ｊ、ｍによれば、ロック部を、コネクタ側ガイド部に設けられた開口部から一部が露出し、開口部に係合することにより保護部を第１の位置に固定することも本願出願前公知技術である。
　
　また、刊行物３の記載ｎによれば、刊行物１記載発明と同様に、電子機器を前記装着部に装着するときに、ロック部の係合が解除され、保護部が第１の位置から第２の位置へ移動可能となり、機器側コネクタが装置側コネクタに接続されるものである。
　
　そうすると、刊行物１記載発明において、刊行物３に記載された前記公知技術のように、ロック部を、電子機器内部で保護部と一体的に形成し、コネクタ側ガイド部に設けられた開口部から一部が露出するようにして、開口部に係合することにより保護部を第１の位置に固定するものとして本願発明のように構成することは当業者が容易になし得るものである。
　
　そして、本願発明の構成を採用することによる作用効果も、刊行物１記載発明、刊行物２乃至刊行物４に記載された事項から当業者が予測できる範囲のものである。　
　
　したがって、本願発明は、刊行物１記載発明、刊行物２乃至刊行物４に記載された事項に基づいて、当業者が容易に発明をすることができたものである。
　
第３．むすび
　以上のとおり、本願発明は、刊行物１記載発明、刊行物２乃至刊行物４に記載された事項に基づいて、当業者が容易に発明をすることができたものであるから、特許法第２９条第２項の規定により特許を受けることができない。
　
　したがって、結論のとおり審決する。